(57)【要約】【課題】  釣った魚に苦痛を与えず傷つけずに、その釣針をその魚から手探りでも外せるものの提供。【解決手段】  図１と２のごとくに釣針通し支え穴６を有した回転釣針外し手段２がある。この釣針通し支え穴６から上記の回転釣針外し手段２の側面外周方向に、釣糸通し切込み５が延びている。この釣糸通し切込み５の開放端（糸挿入口）５ａは、図４と９と１０のごとくにその開放端下端５ａ’が上記の釣針外し軸１の先端部１ａの上側端１ａ’と同位置になっている。釣針回転駆動源７が、上記の回転釣針外し手段２を回転させる。【選択図】  図４
2005204526.tif 000002
【特許請求の範囲】
【請求項１】
釣針外し軸、該釣針外し軸の先端部に設けられたものであってその装着された釣針の曲がっている方向と逆方向に４５〜１８０度程度回転する回転釣針外し手段、該回転釣針外し手段内に設けられたものであって上記の釣針外し軸の長さ方向に作られた釣針のつけ根を通し支える釣針通し支え穴、該釣針通し支え穴から上記の回転釣針外し手段の側面外周方向であって上記の釣針外し軸の長さ方向全長にわたって作られ且つその開放端の下端の位置が上記の釣針外し軸の先端部の側壁の高さ位置（上側端の位置）に位置づけられており釣糸のみが通れるサイズの釣糸通し切込み、上記の回転釣針外し手段を回転させるものであってその釣針外し軸の後端方向に設けられた釣針回転駆動源、該釣針回転駆動源からの回転動力を上記の回転釣針外し手段に伝える回転動力伝達手段、より構成されることを特徴としたワンタッチ操作の釣針外し具。
【発明の詳細な説明】
【技術分野】
【０００１】
本発明は、広くは魚釣りの用具に関するものであり、特に釣針を外す用具に関するものである。就中、暗闇でもワンタッチで操作で釣針が外せるワンタッチ操作の釣針外し具に関するものである。
【背景技術】
【０００２】
従来、釣った魚（含む、衣服等の障害物。以下同じ）からその釣針を外すには、直に手のみで行なうのみか、棒状の仕掛けで外していた。それを、本願発明者はそれを解決する発明を先にした。
【特許文献１】特開２０００−５０７８０
【発明の開示】
【発明が解決しようとする課題】
【０００３】
魚釣りは、仕事として行う場合と、趣味として行う場合がある。特に近年、魚釣りを趣味として行うものが増えてきた。この場合、釣った魚は食せずに、放魚する者が増えてきた。そのような者にとっては、それを放魚する時に、できるだけ釣った魚に苦痛を与えず傷つけないように、その釣針をその魚から外すことの要求が生じる。
【０００４】
しかるに、釣針外しの道具がなければ、指をむりやり魚の口の中に入れなければならない。また、道具と言っても、釣針を回転させて外すように出来ていないゆえに、やはり無理やり外すのと変わらない。
【課題を解決するための手段】
【０００５】
本発明にかかるワンタッチ操作の釣針外し具は、以上の技術的な問題点に鑑みて、その釣針外し具に、釣糸通し切込みと釣針通し切込みを設け、釣針が刺さっている方向に逆な方向にその釣針を半回転させてから、その釣針をその魚の口から外すように構成したものである。さらには、その釣り糸を通す切り込みが、その釣針通し支え穴から上記の回転釣針外し手段の側面外周方向であって、上記の釣針外し軸の長さ方向全長にわたって作られている。その上で、その切り込みの開放端の位置が上記の釣針外し軸の先端部の側壁の高さに位置づけられているもので、釣糸をその切り込みに容易に挿入できる構成にしたものである。
【０００６】
以下に、本発明にかかるの具体的な構成を詳細に記載する。この発明は、まず、釣針外し軸がある。つぎに、回転釣針外し手段がある。この回転釣針外し手段は、上記の釣針外し軸の先端部に設けられたものであって、且つその装着された釣針の曲がっている方向と逆方向に４５〜１８０度程度回転するものである。そして、釣針通し支え穴がある。この釣針通し支え穴は、上記の回転釣針外し手段内に設けられたものであって、且つ上記の釣針外し軸の長さ方向に作られた釣針のつけ根を通し支えるものである。
【０００７】
さらに、釣糸通し切込みがある。この釣糸通し切込みは、上記の釣針通し支え穴から上記の回転釣針外し手段の側面外周方向であって、且つ上記の釣針外し軸の長さ方向全長にわたって作られている。さらに、この釣糸通し切込みは、その開放端の下端の位置が上記の釣針外し軸の先端部の側壁の高さ位置に位置づけられており釣糸のみが通れるサイズのものである。そして、釣針回転駆動源がある。この釣針回転駆動源は、上記の回転釣針外し手段を回転させるものであって、且つその釣針外し軸の後端方向に設けられたものである。最後に、回転動力伝達手段がある。この回転動力伝達手段は、上記の釣針回転駆動源からの回転動力を上記の回転釣針外し手段に伝えるものである。
【発明の効果】
【０００８】
本発明にかかるワンタッチ操作の釣針外し具は、以上のごとくになしたゆえに、上記の課題を解決して以下のごとき多大な効果が生じた。すなわち、釣った魚を放魚する時に、できるだけ釣った魚に苦痛を与えず傷つけないように、しかも暗闇においてさえも釣糸を容易に糸通し切込みに入れて手探りで魚の口からその釣針を外すことができるものとなった。しかも、その針外し軸１の後端から後方に伸びる握り手１ｃを設けると片手で釣針回転駆動源のローラーを回すのみと言う、非常に容易にその釣針をその魚から外すことのできるものとなった。
【０００９】
さらには、その釣り糸を通す切り込みが、その釣針通し支え穴から上記の回転釣針外し手段の側面外周方向に延び、上記の釣針外し軸の先端部の側壁の高さに位置づけられているものであるゆえに、その釣り糸を、上記の釣針外し軸の先端部の側壁に当ててそのままずらのみで、その釣り糸を通す切り込みに楽に挿入できるものとなった。
【発明を実施するための最良の形態】
【００１０】
魚の口とか服に引っかかった釣り針を容易に外すと言う目的を達成するために、その回転釣針外し手段を、その釣針をそのの曲がっている方向と逆方向に４５〜１８０度程度回転させるようにして、その釣針がその魚の口から外れる方向に回転させられ容易にその口から外れるものとした。
【００１１】
そして、釣糸通し用の釣糸通し切込みに、その針の付いた釣り糸が容易に挿入できるように、上記の釣針外し軸の先端部の側壁に当ててそのままずらのみ装着できる構成にした。
【実施例１】
【００１２】
しかして、本発明にかかるをその具体的な実施例を用いて添付の図面と共に詳細に述べる。まず、図１と２に示すように、角柱状または円柱状のボールペン程度のサイズの釣針外し軸１がある。この釣針外し軸１のサイズは、使用する釣針おサイズに合わせたものとなる。つぎに、図１と２及びその拡大左面断面図に示すごとくに回転釣針外し手段２がある。この回転釣針外し手段２は、上記の釣針外し軸１の先端部１ａに設けられたものである。そして、その装着された釣針３の曲がっている方向と逆方向に４５〜１８０度程度回転するものである。しかして、この回転釣針外し手段２または下記の釣針回転駆動源７にはストッパー（図示なし）がついていて、この回転釣針外し手段２が回転し過ぎてその釣針３が外しにくくなることを防止している。
【００１３】
さらに、釣糸４を通すための釣糸通し切込み５がある。そして、釣針通し支え穴６がある。この釣針通し支え穴６は、上記の回転釣針外し手段２内に設けられたものであって、且つその釣糸４のみが通れるサイズのものである。さらに、この釣針通し支え穴６は、上記の釣針外し軸１の長さ方向に作られたものであって、釣針３のつけ根を通してそれを支えるものである。この釣針通し用の釣針通し支え穴６は、上記の釣糸通し切込み５と接続してその回転釣針外し手段２の内側に設けられたものである。
【００１４】
具体的には、この釣糸通し用の釣糸通し切込み５は、特開２０００−５０７８０のものにおいては、その釣り糸は図示ローラー（回転釣針外し手段）２の外周方向に広がるＶ字状の糸挿入口５ａと下記の釣針通し支え穴６に接続する糸貫入溝５ｂ（その明細書の図３に示す拡大側面図を参照）とから成るものである。これに対して、本願発明の釣糸通し切込み５は、上記の釣針通し支え穴６から上記の回転釣針外し手段２の側面外周方向に延びているものである。詳しくは、上記の釣糸通し切込み５の開放端（糸挿入口）５ａは、その開放端下端５ａ’が上記の釣針外し軸１の先端部１ａの上側端１ａ’と同位置（その開放端５ａの開放端下端５ａ’の位置が上記の釣針外し軸１の先端部１ａの側壁の高さの位置）になっている（図４を参照、図９と１０をも参照）。それゆえ、上記の釣糸４は、狭くて暗く見えにくい釣り魚の口９（図６と７を参照）の中の釣糸４の位置を、その釣針外し軸１の先端部１ａの上側端１ａ’との接触感覚のみで判断できる。しかして、この釣糸通し切込み５も、上記の釣針外し軸１の長さ方向全長にわたって作られている。
【００１５】
そして、釣針回転駆動源７がある。この釣針回転駆動源７は、上記の回転釣針外し手段２を回転させるものであって、図１と２に示すように、その釣針外し軸１の本体１ｂの後端に設けられたものである。この釣針回転駆動源７は、本実施例では回転ローラー式でその上記の回転釣針外し手段２と輪になった紐８で連結されて回転するようになっている。しかし、これをノック式等にしても良いし、その方がその釣針外しの操作は非常に容易になる。
【００１６】
最後に、回転動力伝達手段８がある。この回転動力伝達手段８は、上記の釣針回転駆動源７からの回転動力を上記の回転釣針外し手段２に伝えるものである。なお、この回転動力伝達手段８は、上記の紐８に代えて、図８に示す縮小正面断面図のごとくに回転力伝達シャフト８ａを用いてもよい。この回転力伝達シャフト８ａは、その両端に１対のギア８ｂを有している。それで、上記の釣針回転駆動源７に設けられたギア７ａにその一方のギア８ｂを噛み合わせて、そして上記の回転釣針外し手段２に設けられたギア２ａにその他方のギア８ｂを噛み合わせ、その回転力を伝えるようにしてもよい。さらには、上記の針外し軸１の後端から後方に伸びる握り手１ｃを設けると片手は釣り上げた魚のみを掴むのみでよく、他方の手でその針外し軸１の保持と同時にその釣針回転駆動源７を操作できる。もちろん、この握り手１ｃ部分がなくても上記の針外し軸１を逆方向に掴めば、片手でその保持と回転がなせるから問題はない。
【００１７】
しかして、以下にその釣針３の外し方を述べる。まず、上述のごとく、上記の回転釣針外し手段２に設けてある糸挿入口（開放端）５ａの開放端下端５ａ’の位置に、上記の釣針外し軸１の先端部１ａの上側端１ａ’が接するように構成されている（図９と４を参照。なお、図９と１０は、釣り糸４がその釣針外し軸１の先端部１ａの上側端１ａ’からその釣糸通し切込み５を通って、その釣針通し支え穴６に入る様子が分かりやすいように、その左右を逆にした図１の（省略）背面図になっている。）。しかして、釣針３を魚の口９から外すとき、その釣糸４を図１０Ａと図４Ａのごとくに上記の釣針外し軸１の先端部１ａの上側端１ａ’に接触させて、その釣針外し軸１をその釣針３（図５を参照）の方向に押す。これにより、その釣糸４をその釣針外し軸１の先端部１ａの上側端１ａ’にスライドさせて、その釣糸４をその糸挿入口５ａに挿入させる（図１１Ｂ、図４Ｂも参照）。つぎに、その釣糸４を、図１１Ｂ（図４Ｂも参照）のごとくに、その糸貫入溝５ｂを通してこれに接続する釣針通し支え穴６に装着させるものである（蛇足ながら、図３の釣針通し支え穴６の周りの円はこの釣針通し支え穴６のテーパ―を示したものである）。
【００１８】
かようにして、図４に示す拡大一部正面断面図のごとくに、その釣糸４をその釣糸通し切込み５から入れ、図５に示す拡大一部正面断面図のごとくに、その釣糸を手繰りでその釣糸通し穴６にその釣針３を挿入させ、つぎに図６に示す拡大一部正面断面図のごとくに、その釣針３をその回転釣針外し手段２によって外す方向に回転させ、最後にその釣針３を図７に示す拡大一部正面断面図のごとくに、魚の口９から外す。
【産業上の利用可能性】
【００１９】
魚釣りを食用とせずに、遊びとして、釣った魚を傷つけずに逃がす趣味の発展。
【図面の簡単な説明】
【００２０】
【図１】本発明にかかるの一実施例の拡大一部省略正面断面図を示したものである。
【図２】図１の実施例の平面図であって、そのカバーを外した状態を示したものである。
【図３】図１の実施例のものの拡大左側面図で、回転釣針外し手段付近を示したものである。
【図４】図３の実施例の一部拡大図で、回転釣針外し手段と釣針外し軸の先端部付近と釣糸の一部とを示したものであって、その（Ａ）はその釣糸をその釣糸通し切込みに挿入する前の状態であり、その（Ｂ）はその釣糸がその釣糸通し切込みに挿入された後の状態である。
【図５】図１の実施例のものの回転釣針外し手段付近の拡大正面図であり、釣糸通し切込みに釣糸を通した状態を示したものである。
【図６】図１の実施例のものの回転釣針外し手段付近の拡大正面図であり、釣糸通し切込みに通した釣糸を手繰って釣針通し支え穴に釣針を収めた状態を示したものである。
【図７】図１の実施例のものの回転釣針外し手段付近の拡大正面図であり、釣針通し支え穴に釣針を通したものを回転させ、針を魚の口から外した状態を示したものである。
【図８】図１のものの別の実施例の縮小正面断面図である。
【図９】図１のものの実施例の拡大背面図であって、回転釣針外し手段付近を示し、さらに釣針外し軸の先端部を仮想線で示したものである。
【図１０】図９の実施例のものであって、その一部拡大詳細図であり、その（Ａ）はその釣糸をその釣糸通し切込みに挿入する前の状態であり、その（Ｂ）はその釣糸がその釣糸通し切込みに挿入された後の状態である。
【符号の説明】
【００２１】
１    釣針外し軸
１ａ  先端部
１ａ’上側端
２    回転釣針外し手段
３    釣針
４    釣糸
５    釣糸通し切込み
５ａ’開放端下端
６    釣針通し支え穴
７    釣針回転駆動源
８    回転動力伝達手段
【図１】
2005204526.tif 000003
【図２】
2005204526.tif 000004
【図３】
2005204526.tif 000005
【図４】
2005204526.tif 000006
【図５】
2005204526.tif 000007
【図６】
2005204526.tif 000008
【図７】
2005204526.tif 000009
【図８】
2005204526.tif 000010
【図９】
2005204526.tif 000011
【図１０】
2005204526.tif 000012